(57)【要約】【課題】  二つの発振周波数が乖離している場合も、位相雑音の劣化を防止し、安定した出力信号を得ることができる２波切替型発振器を提供する。【解決手段】  抵抗Ｒ1 を介してスイッチＳＷ1 の一方の接続端子に接続すると共にスイッチングダイオードＤ1 のアノード側に接続する圧電振動子Ｘ1 と、抵抗Ｒ2 を介してスイッチＳＷ1 の他方の接続端子に接続し、スイッチングダイオードＤ2 のアノード側に接続する圧電振動子Ｘ2 と、コレクタには電源電圧ＶCCが印加され、エミッタが容量Ｃ3 を介して出力端子に接続し、圧電振動子Ｘ2 の他端と容量Ｃ5 を介して接続すると共に抵抗Ｒ4 と容量Ｃ2 を介して接地し、ベースがスイッチングダイオードＤ1 ，Ｄ2 のカソード側に接続し、エミッタに容量Ｃ1 を介して接続すると共に他端が接地する抵抗Ｒ3 に接続するトランジスタとを有する２波切替型発振器である。【選択図】        図１
2008060841.tif 000002
【特許請求の範囲】
【請求項１】
２つの発振周波数の一方を選択により出力する２波切替型発振器において、
供給される電源電圧のラインに設けられた第１の容量と、
バイアス供給される電圧を選択すると共に圧電発振器の出力を選択するスイッチと、
第１のスイッチングダイオードと、
第２のスイッチングダイオードと、
一端が接地され、他端が第１の抵抗を介して前記スイッチの一方の接続端子に接続すると共に前記第１のスイッチングダイオードのアノード側に接続し、第１の共振周波数を有する第１の圧電振動子と、
一端が接地され、他端が第２の抵抗を介して前記スイッチの他方の接続端子に接続し、前記第２のスイッチングダイオードのアノード側に接続し、第２の共振周波数を有する第２の圧電振動子と、
コレクタには電源電圧が印加され、エミッタが第２の容量を介して出力端子に接続し、前記第２の圧電振動子の他端と第３の容量を介して接続すると共に第３の抵抗と第４の容量を介して接地し、ベースが前記第１のスイッチングダイオードのカソード側と前記第２のスイッチングダイオードのカソード側に接続し、前記エミッタに第５の容量を介して接続すると共に他端が接地する第４の抵抗に接続するトランジスタとを有することを特徴とする２波切替型発振器。
【請求項２】
第１の圧電振動子の共振周波数を第２の圧電振動子の共振周波数より高くしたことを特徴とする請求項１記載の２波切替型発振器。
【請求項３】
２つの発振周波数の一方を選択により出力する２波切替型発振器において、
供給される電源電圧のラインに設けられた第１の容量と、
電源電圧をバイアス供給する負荷抵抗と、
バイアス供給される電圧を選択すると共に圧電発振器の出力を選択するスイッチと、
圧電発振器の出力端子に一端が接続し、他端が接地する第２の容量と、
電源電圧を分圧する第１の抵抗と第２の抵抗と、
第１の共振周波数を有する第１の圧電振動子と、
コレクタが前記スイッチの一方の選択端子に接続すると共に前記第１の圧電振動子の一方の端子に接続し、エミッタが接地し、ベースが前記第１の圧電振動子の他端に接続し、他端が接地する第３の容量に接続すると共に分圧された電圧を供給するための第３の抵抗に接続する第１のトランジスタと、
第２の共振周波数を有する第２の圧電振動子と、
コレクタがスイッチの他方の選択端子に接続し、前記第２の圧電振動子の一方の端子に接続すると共に他端が接地する第４の容量に接続し、エミッタが接地し、ベースが前記第２の圧電振動子の他端に接続し、他端が接地する第５の容量に接続すると共に分圧された電圧を供給するための第４の抵抗に接続する第２のトランジスタとを有することを特徴とする２波切替型発振器。
【請求項４】
第１の圧電振動子の共振周波数を第２の圧電振動子の共振周波数より高くしたことを特徴とする請求項３記載の２波切替型発振器。
【発明の詳細な説明】
【技術分野】
【０００１】
本発明は、２つの周波数を切り替えて出力する２波切替型発振器に係り、特に、安定度の高い信号源を供給する２波切替型発振器に関する。
【背景技術】
【０００２】
光通信ネットワークに用いられる伝送装置などには、水晶発振器に代表される高純度の発振器の要求がある。
昨今、１つのモジュールで異なる複数の周波数の出力信号が得られる切替型発振器の需要が多くなっている。
【０００３】
従来の２波切替型発振器について説明する。
従来の２波切替型発振器の一つの例（従来例１）として図４に示すものがある。図４は、従来例１の２波切替型発振器の回路図である。
従来例１は、図４に示すように、第１の圧電振動子Ｘ1 と第２の圧電振動子Ｘ2 は、最も一般的なコルピッツ型で構成されており、第１の圧電振動子Ｘ１ と第２の圧電振動子Ｘ２ に供給される電源電圧ＶCCをスイッチＳＷ1 で選択し、選択された圧電発振器からの出力信号をスイッチＳＷ2 で選択して出力（ＯＵＴ）するものである。
尚、図において、ＶCCは電源電圧であり、ＳＥＬは選択信号であり、ＯＵＴは出力であり、Ｘが圧電振動子、Ｒが抵抗、Ｃが容量、Ｑがトランジスタであり、１は第１の圧電発振器、２は第２の圧電発振器である。
【０００４】
また、別の従来の２波切替型発振器（従来例２）について図５を参照しながら説明する。図５は、従来例２の２波切替型発振器の回路図である。
従来例２は、図５に示すように、第１の圧電振動子Ｘ1 と第２の圧電振動子Ｘ2 の一方のみを同一の発振回路で切り替えて動作させ、２つの内、一方のみの出力信号を取り出せるようにしたものである。
【０００５】
従来例２に関連した先行技術として、特開２００２−３５９５２１号公報（特許文献１）がある。
特許文献１は、第１及び第２の圧電振動子に直列に接続されたスイッチングダイオードのオン／オフの動作によって、いずれかの圧電振動子を選択駆動して切替型発振器を実現したものである。
特許文献１によると、スイッチングダイオードによる切替とトランジスタのバイアスを各々の圧電振動子の共振周波数に応じた値にすることにより、温度変化に対応する発振ループ内の高周波電流の変動を抑え、出力レベルの変動を防止できるものとなっている。
【０００６】
尚、その他の先行技術としては、特開２００４−３５６７５７号公報（特許文献２）がある。
特許文献２は、２波切替型発振器において、スイッチにより２つの圧電振動子を切り替えて駆動し、可変容量ダイオードにより容量の一部を可変可能としたものである。
【０００７】
【特許文献１】特開２００２−３５９５２１号公報
【特許文献２】特開２００４−３５６７５７号公報
【発明の開示】
【発明が解決しようとする課題】
【０００８】
しかしながら、従来例１では、圧電振動子を含む発振回路を複数個配置する必要があるため、部品点数が多くなり、回路構成が複雑化し、結果としてモジュールが大きくなってしまうという問題点があった。
【０００９】
また、従来例２及び特許文献２では、バイアス抵抗を各々の圧電振動子の共振周波数に応じて、その抵抗値を設定できるものの、交流回路としての発振回路定数は一つに決定されてしまうため、比較的近い二つの共振周波数（例えば、数％程度）の圧電振動子には対応できるものの、各々の圧電振動子の共振周波数が乖離している場合には発振が困難であるという問題点があった。
【００１０】
つまり、従来例２及び特許文献２では、一方の圧電振動子には最適な定数が設定できても、共振周波数が乖離した他方の圧電振動子に対しては最適化が難しく、例えば、圧電振動子の負荷容量が大きく異なる場合、発振回路の性能として位相雑音が劣化するという問題点があった。
【００１１】
本発明は上記実情に鑑みて為されたもので、二つの発振周波数が乖離している場合も、比較的近い場合でも、位相雑音の劣化を防止し、安定した出力信号を得ることができる２波切替型発振器を提供することを目的とする。
【課題を解決するための手段】
【００１２】
上記従来例の問題点を解決するための本発明は、２つの発振周波数の一方を選択により出力する２波切替型発振器において、供給される電源電圧のラインに設けられた第１の容量と、バイアス供給される電圧を選択すると共に圧電発振器の出力を選択するスイッチと、第１のスイッチングダイオードと、第２のスイッチングダイオードと、一端が接地され、他端が第１の抵抗を介してスイッチの一方の接続端子に接続すると共に第１のスイッチングダイオードのアノード側に接続し、第１の共振周波数を有する第１の圧電振動子と、一端が接地され、他端が第２の抵抗を介してスイッチの他方の接続端子に接続し、第２のスイッチングダイオードのアノード側に接続し、第２の共振周波数を有する第２の圧電振動子と、コレクタには電源電圧が印加され、エミッタが第２の容量を介して出力端子に接続し、第２の圧電振動子の他端と第３の容量を介して接続すると共に第３の抵抗と第４の容量を介して接地し、ベースが第１のスイッチングダイオードのカソード側と第２のスイッチングダイオードのカソード側に接続し、エミッタに第５の容量を介して接続すると共に他端が接地する第４の抵抗に接続するトランジスタとを有することを特徴とする。
【００１３】
本発明は、上記２波切替型発振器において、第１の圧電振動子の共振周波数を第２の圧電振動子の共振周波数より高くしたことを特徴とする。
【００１４】
本発明は、２つの発振周波数の一方を選択により出力する２波切替型発振器において、供給される電源電圧のラインに設けられた第１の容量と、電源電圧をバイアス供給する負荷抵抗と、バイアス供給される電圧を選択すると共に圧電発振器の出力を選択するスイッチと、圧電発振器の出力端子に一端が接続し、他端が接地する第２の容量と、電源電圧を分圧する第１の抵抗と第２の抵抗と、第１の共振周波数を有する第１の圧電振動子と、コレクタがスイッチの一方の選択端子に接続すると共に第１の圧電振動子の一方の端子に接続し、エミッタが接地し、ベースが第１の圧電振動子の他端に接続し、他端が接地する第３の容量に接続すると共に分圧された電圧を供給するための第３の抵抗に接続する第１のトランジスタと、第２の共振周波数を有する第２の圧電振動子と、コレクタがスイッチの他方の選択端子に接続し、第２の圧電振動子の一方の端子に接続すると共に他端が接地する第４の容量に接続し、エミッタが接地し、ベースが第２の圧電振動子の他端に接続し、他端が接地する第５の容量に接続すると共に分圧された電圧を供給するための第４の抵抗に接続する第２のトランジスタとを有することを特徴とする。
【００１５】
本発明は、上記２波切替型発振器において、第１の圧電振動子の共振周波数を第２の圧電振動子の共振周波数より高くしたことを特徴とする。
【発明の効果】
【００１６】
本発明によれば、２つの発振周波数の一方を選択により出力する２波切替型発振器において、供給される電源電圧のラインに設けられた第１の容量と、バイアス供給される電圧を選択すると共に圧電発振器の出力を選択するスイッチと、第１のスイッチングダイオードと、第２のスイッチングダイオードと、一端が接地され、他端が第１の抵抗を介してスイッチの一方の接続端子に接続すると共に第１のスイッチングダイオードのアノード側に接続し、第１の共振周波数を有する第１の圧電振動子と、一端が接地され、他端が第２の抵抗を介してスイッチの他方の接続端子に接続し、第２のスイッチングダイオードのアノード側に接続し、第２の共振周波数を有する第２の圧電振動子と、コレクタには電源電圧が印加され、エミッタが第２の容量を介して出力端子に接続し、第２の圧電振動子の他端と第３の容量を介して接続すると共に第３の抵抗と第４の容量を介して接地し、ベースが第１のスイッチングダイオードのカソード側と第２のスイッチングダイオードのカソード側に接続し、エミッタに第５の容量を介して接続すると共に他端が接地する第４の抵抗に接続するトランジスタとを有するものであり、コルピッツ型の圧電発振器を２つ、スイッチを１つ、トランジスタを１つ用い、容量、抵抗を共通化することで、部品点数を削減し、小型化かつ低コストを図ることができ、更に第３の容量の負荷容量の増加により、乖離する２つの共振周波数にも対応できる効果がある。
【００１７】
本発明によれば、第１の圧電振動子の共振周波数を第２の圧電振動子の共振周波数より高くした上記２波切替型発振器としているので、第２の圧電振動子の他端とエミッタとの間に設けられた第３の容量により負荷容量が増加し、第２の圧電振動子を第１の圧電振動子より低い共振周波数に設定することで、乖離した２つの発振周波数であっても、位相雑音の低下を防止し、安定した出力信号を得ることができる効果がある。
【００１８】
本発明によれば、２つの発振周波数の一方を選択により出力する２波切替型発振器において、供給される電源電圧のラインに設けられた第１の容量と、電源電圧をバイアス供給する負荷抵抗と、バイアス供給される電圧を選択すると共に圧電発振器の出力を選択するスイッチと、圧電発振器の出力端子に一端が接続し、他端が接地する第２の容量と、電源電圧を分圧する第１の抵抗と第２の抵抗と、第１の共振周波数を有する第１の圧電振動子と、コレクタがスイッチの一方の選択端子に接続すると共に第１の圧電振動子の一方の端子に接続し、エミッタが接地し、ベースが第１の圧電振動子の他端に接続し、他端が接地する第３の容量に接続すると共に分圧された電圧を供給するための第３の抵抗に接続する第１のトランジスタと、第２の共振周波数を有する第２の圧電振動子と、コレクタがスイッチの他方の選択端子に接続し、第２の圧電振動子の一方の端子に接続すると共に他端が接地する第４の容量に接続し、エミッタが接地し、ベースが第２の圧電振動子の他端に接続し、他端が接地する第５の容量に接続すると共に分圧された電圧を供給するための第４の抵抗に接続する第２のトランジスタとを有するものとしているので、ピアース型の圧電発振器を２つ、スイッチを１つ用い、第1の容量、負荷抵抗、分圧用の第１の抵抗及び第２の抵抗を共通化することで、部品点数を削減し、小型化かつ低コストを図ることができ、更に第4の容量の負荷容量の増加により、乖離する２つの発振周波数にも対応できる効果がある。
【００１９】
本発明によれば、第１の圧電振動子の共振周波数を第２の圧電振動子の共振周波数より高くした上記２波切替型発振器としているので、第２のトランジスタのコレクタに設けられた第４の容量により負荷容量が増加し、第２の圧電振動子を第１の圧電振動子より低い共振周波数に設定することで、乖離した２つの発振周波数であっても、位相雑音の低下を防止し、安定した出力信号を得ることができる効果がある。
【発明を実施するための最良の形態】
【００２０】
本発明の実施の形態について図面を参照しながら説明する。
［第１の回路の概要］
本発明の実施の形態に係る２波切替型発振器は、２つの発振周波数の一方を選択により出力する２波切替型発振器であり、供給される電源電圧ＶCCのラインに設けられた第１の容量（Ｃ4 ）と、バイアス供給される電圧を選択すると共に圧電発振器の出力を選択するスイッチ（ＳＷ1 ）と、第１のスイッチングダイオード（Ｄ1 ）と、第２のスイッチングダイオード（Ｄ2 ）と、一端が接地され、他端が第１の抵抗（Ｒ1 ）を介してスイッチ（ＳＷ1 ）の一方の接続端子に接続すると共に第１のスイッチングダイオード（Ｄ1 ）のアノード側に接続し、第１の共振周波数を有する第１の圧電振動子（Ｘ1 ）と、一端が接地され、他端が第２の抵抗（Ｒ2 ）を介してスイッチ（ＳＷ1 ）の他方の接続端子に接続し、第２のスイッチングダイオード（Ｄ2 ）のアノード側に接続し、第２の共振周波数を有する第２の圧電振動子（Ｘ2 ）と、コレクタには電源電圧が印加され、エミッタが第２の容量（Ｃ3 ）を介して出力端子に接続し、第２の圧電振動子（Ｘ2 ）の他端と第３の容量（Ｃ5 ）を介して接続すると共に第３の抵抗（Ｒ4 ）と第４の容量（Ｃ2 ）を介して接地し、ベースが第１のスイッチングダイオード（Ｄ1 ）のカソード側と第２のスイッチングダイオード（Ｄ2 ）のカソード側に接続し、エミッタに第５の容量（Ｃ1 ）を介して接続すると共に他端が接地する第４の抵抗（Ｒ3 ）に接続するトランジスタとを有するものであり、コルピッツ型の圧電発振器を２つ、スイッチを１つ、トランジスタを１つ用い、容量、抵抗を共通化することで、部品点数を削減し、小型化かつ低コストを図ることができ、更に第３の容量（Ｃ5 ）の負荷容量の増加により、乖離する２つの発振周波数にも対応できるものである。
【００２１】
［第２の回路の概要］
本発明の実施の形態に係る第２の２波切替型発振器は、２つの発振周波数の一方を選択により出力する２波切替型発振器であり、供給される電源電圧のラインに設けられた第１の容量（Ｃ4 ）と、電源電圧をバイアス供給する負荷抵抗（Ｒ4 ）と、バイアス供給される電圧を選択すると共に圧電発振器の出力を選択するスイッチ（ＳＷ1 ）と、圧電発振器の出力端子に一端が接続し、他端が接地する第２の容量（Ｃ2 ）と、電源電圧を分圧する第１の抵抗（Ｒ1 ）と第２の抵抗（Ｒ2 ）と、第１の共振周波数を有する第１の圧電振動子（Ｘ1 ）と、コレクタがスイッチ（ＳＷ1 ）の一方の選択端子に接続すると共に第１の圧電振動子（Ｘ1 ）の一方の端子に接続し、エミッタが接地し、ベースが第１の圧電振動子（Ｘ1 ）の他端に接続し、他端が接地する第３の容量（Ｃ1 ）に接続すると共に分圧された電圧を供給するための第３の抵抗（Ｒ3 ）に接続する第１のトランジスタ（Ｑ1 ）と、第２の共振周波数を有する第２の圧電振動子（Ｘ2 ）と、コレクタがスイッチ（ＳＷ1 ）の他方の選択端子に接続し、第２の圧電振動子（Ｘ2 ）の一方の端子に接続すると共に他端が接地する第４の容量（Ｃ6 ）に接続し、エミッタが接地し、ベースが第２の圧電振動子（Ｘ2 ）の他端に接続し、他端が接地する第５の容量（Ｃ3 ）に接続すると共に分圧された電圧を供給するための第４の抵抗（Ｒ5 ）に接続する第２のトランジスタ（Ｑ2 ）とを有するものであり、ピアース型の圧電発振器を２つ、スイッチを１つ用い、第1の容量、負荷抵抗、分圧用の第１の抵抗及び第２の抵抗を共通化することで、部品点数を削減し、小型化かつ低コストを図ることができ、更に第４の容量（Ｃ6 ）の負荷容量の増加により、乖離する２つの発振周波数にも対応できるものである。
【００２２】
［第１の回路］
本発明の実施の形態に係る第１の２波切替型発振器について図１を参照しながら説明する。図１は、本発明の実施の形態に係る第１の２波切替型発振器の回路図である。
本発明の実施の形態に係る第１の２波切替型発振器（第１の発振器）は、図１に示すように、電源電圧ＶCCが印加される電源端子と、発振回路の切り替えを制御する切替制御信号ＳＥＬが入力される切替制御信号入力端子と、選択された発振周波数を出力信号（ＯＵＴ）として出力する端子と、グランドレベル（ＧＮＤ）に接続する接地端子とを有し、切替制御信号によって電源電圧ＶCCの供給を切り替えるスイッチＳＷ1 と、第１の共振周波数を有する第１の圧電振動子Ｘ1 と、第２の共振周波数を有する第２の圧電振動子Ｘ2 と、第１，２のスイッチングダイオードＤ1 ，Ｄ2 と、トランジスタＱ1 と、複数の抵抗Ｒと、複数の容量とを備えている。
【００２３】
第１の発振器の具体的構成を説明する。
第１の圧電振動子Ｘ1 は、一端が接地され、他端が抵抗Ｒ1 を介してスイッチＳＷ1 の一方の接続端子に接続すると共に第１のスイッチングダイオードＤ1 のアノード側に接続している。
第２の圧電振動子Ｘ2 は、一端が接地され、他端が抵抗Ｒ2 を介してスイッチＳＷ1 の他方の接続端子に接続し、第２のスイッチングダイオードＤ2 のアノード側に接続すると共にトランジスタＱ1 のエミッタＥに容量Ｃ5 を介して接続している。
第１の回路では、第１の圧電振動子Ｘ1 の共振周波数を第２の圧電振動子Ｘ2 の共振周波数より高い周波数としている。
【００２４】
第１のスイッチングダイオードＤ1 のカソード側と第２のスイッチングダイオードＤ2 のカソード側は、接続されてトランジスタＱ1 のベースＢに接続している。
第１，２のスイッチングダイオードＤ1 ，Ｄ2 のカソード側とトランジスタＱ1 のベースＢとを接続するラインには、一端が当該ラインに接続し、他端が接地される抵抗Ｒ3 が接続され、一端が当該ラインに接続し、他端が容量Ｃ5 とトランジスタＱ1 のエミッタＥとを結ぶラインに接続している。
【００２５】
容量Ｃ5 とトランジスタＱ1 のエミッタＥとを結ぶラインには、一端が当該ラインに接続し、他端が接地する容量Ｃ2 が接続されている。
トランジスタＱ1 のコレクタＣには、電源電圧ＶCCが供給され、エミッタＥは容量Ｃ3 を介して出力端子に接続され、更に終端は抵抗Ｒ4 を介して接地されている。
抵抗Ｒ3 ，Ｒ4 は、バイアス用の抵抗となるものである。
尚、第１，２の圧電振動子を含む圧電発振回路は、コルピッツ型となっている。
【００２６】
第１の回路では、切替制御信号によってスイッチＳＷ1 が、電源電圧ＶCCを第１の圧電振動子Ｘ1 に抵抗Ｒ1 を介して供給すると、第１のスイッチングダイオードＤ1 がオンし、第１の圧電振動子Ｘ1 から出力された共振周波数（第１の共振周波数）がトランジスタＱ1 のベースＢに与えられ、トランジスタＱ1 が動作してエミッタＥから第１の共振周波数に相当する出力信号が出力端子に出力される。
【００２７】
また、第１の回路では、切替制御信号によってスイッチＳＷ1 が、電源電圧ＶCCを第２の圧電振動子Ｘ2 に抵抗Ｒ２ を介して供給すると、第２のスイッチングダイオードＤ2 がオンし、第２の圧電振動子Ｘ2 から出力された共振周波数（第２の共振周波数）がトランジスタＱ1 のベースＢに与えられ、トランジスタＱ1 が動作してエミッタＥから第２の共振周波数に相当する出力信号が出力端子に出力される。
【００２８】
図１における第１のスイッチングダイオードＤ1 がオンしている状態の等価回路は、図２（ａ）に示す通りである。
また、図１における第２のスイッチングダイオードＤ2 がオンしている状態の等価回路は、図２（ｂ）に示す通りである。
図２は、（ａ）が第１のスイッチングダイオードがオンしている状態の等価回路図、（ｂ）が第２のスイッチングダイオードがオンしている状態の等価回路図である。
【００２９】
図２（ａ）と（ｂ）を比較すると、（ａ）では、ベース・エミッタ間の負荷容量は、容量Ｃ1 であるのに対して、（ｂ）では、ベース・エミッタ間の負荷容量は、容量Ｃ1 と容量Ｃ5 の並列接続である。
これは、（ａ）よりも（ｂ）の方が、発振条件である負荷抵抗が周波数の低い領域にシフトすることになり、（ｂ）では低い周波数での発振が可能となるものである。
【００３０】
第１の回路では、スイッチＳＷ1 の切替によって、抵抗Ｒ2 に電源電圧ＶCCがバイアスとして印加された場合、第２のスイッチングダイオードＤ2 が低インピーダンスとなり、第１の圧電振動子Ｘ2 を選択駆動すると同時に、容量Ｃ1 と容量Ｃ5 が並列に接続されることになる。
【００３１】
これは、第１のスイッチングダイオードＤ1 をオンした場合に比べて、第２のスイッチングダイオードＤ2 をオンした場合は、容量Ｃ5 の値だけ発振ループを構成する容量（トランジスタＱ1 のベース・エミッタ間の容量）が増加し、ひいては負荷容量が大きくなる。これにより、容量Ｃ1 のみの時と比べて、発振条件である負荷抵抗が周波数の低い領域にシフトすることになり、容量Ｃ1 のみの時よりも低い周波数での発振が可能である。
【００３２】
従って、第１の回路では、第１のスイッチングダイオードＤ1 に接続する第１の圧電振動子Ｘ1 を高い共振周波数に設定し、第２のスイッチングダイオードＤ2 に接続する第２の圧電振動子Ｘ2 を低い共振周波数に設定することで、それぞれに適した発振回路とすることができる。
【００３３】
従来例では、近接した２つの発振周波数しか切り替えられなかったが、第１の回路では、乖離した２つの発振周波数であっても、位相雑音の低下を防止し、安定した出力信号を得る２波切替型発振器を実現できる。
また、比較的近い２つの発振周波数であっても、それぞれに応じた発振回路定数を設定し、位相雑音の劣化等を低減できる効果がある。
【００３４】
第１の回路では、少ない部品点数で安定した出力信号を得ることができ、構成を簡易にし、低コストの２波切替型発振回路を提供できる効果がある。
【００３５】
［第２の回路］
次に、本発明の実施の形態に係る第２の２波切替型発振回路について図３を参照しながら説明する。図３は、本発明の実施の形態に係る第２の２波切替型発振回路の回路図である。
本発明の実施の形態に係る第２の２波切替型発振回路（第２の回路）は、図３に示すように、電源電圧ＶCCを印加する電源端子と、出力信号（ＯＵＴ）を得る出力端子と、切替制御信号ＳＥＬを入力する切替制御信号入力端子と、グランドレベル（ＧＮＤ）に接続する接地端子と、スイッチＳＷ1 と、第１の圧電振動子Ｘ１ と、第２の圧電振動子Ｘ２ と、第１のトランジスタＱ1 と、第２のトランジスタＱ2 と、抵抗Ｒ1 〜Ｒ5 と、容量（コンデンサ）Ｃ1 〜Ｃ6 とを基本的に有している。
【００３６】
電源端子には、容量Ｃ4 が接続されて接地され、また、抵抗Ｒ4 を介してスイッチＳＷ1 に接続され、更に、抵抗Ｒ1 と抵抗Ｒ2 が直列に接続されて接地されている。
抵抗Ｒ4 とスイッチＳＷ1 を接続するラインには、容量Ｃ2 が接続されて接地され、また、容量Ｃ5 が直列に接続されて出力端子に接続している。
【００３７】
第１のトランジスタＱ1 のコレクタＣは、スイッチＳＷ1 の一方の接続端子に接続し、エミッタＥが接地され、ベースＢが抵抗Ｒ3 を介して抵抗Ｒ1 と抵抗Ｒ2 の間に接続している。
第２のトランジスタＱ2 のコレクタＣは、スイッチＳＷ1 の他方の接続端子に接続し、エミッタＥが接地され、ベースＢが抵抗Ｒ5 を介して抵抗Ｒ1 と抵抗Ｒ2 の間に接続している。更に、第２のトランジスタＱ2 のコレクタＣは、容量Ｃ6 が接続され、その容量の他端が接地されている。
【００３８】
第１の圧電振動子Ｘ１ は、一方の端子が第１のトランジスタＱ1 のコレクタＣに接続し、他方の端子がベースＢに接続され、更に容量Ｃ1 を介して接地されている。
第２の圧電振動子Ｘ2 は、一方の端子が第２のトランジスタＱ2 のコレクタＣに接続し、他方の端子がベースＢに接続され、更に容量Ｃ3 を介して接地されている。
尚、圧電振動子Ｘ1 ，Ｘ2 から成る発振回路は、いずれもピアース型としている。
【００３９】
第２の回路では、第１の圧電発振器は、第１のトランジスタＱ1 と、発振ループを構成する第１の圧電振動子Ｘ１ と、容量Ｃ1 、Ｃ2 と、第１のトランジスタＱ1 にバイアスを供給するための抵抗Ｒ1 、Ｒ2 、Ｒ3 と、負荷抵抗Ｒ4 とから構成されている。
また、第２の圧電発振器は、第２のトランジスタＱ2 と、発振ループを構成する第２の圧電発振器Ｘ2 と、容量Ｃ3 、Ｃ2 、Ｃ6 と、第２のトランジスタＱ2 にバイアスを供給するための抵抗Ｒ1 、Ｒ2 、Ｒ5 と、負荷抵抗Ｒ4 とから構成されている。
【００４０】
つまり、第１の圧電発振器と第２の圧電発振器では、バイアス供給のための抵抗Ｒ1 、Ｒ2 と、負荷抵抗Ｒ4 と、容量Ｃ2 を共用している。
負荷抵抗Ｒ4 は、トランジスタに対するコレクタ抵抗となるもので、出力周波数に応じたインダクタンスであってもよい。
【００４１】
また、負荷抵抗Ｒ4 を共通としたため、これを介してトランジスタＱ1 、Ｑ2 に供給される直流バイアスをスイッチＳＷ1 で制御し、第１の及び第２の圧電発振器の動作と、出力信号の選択を同時に行っている。
これにより、第２の回路では、抵抗、容量、スイッチなどの部品点数を削減して、２波切替型発振器でありながら、小型化かつ低コストを図ることができる効果がある。
【００４２】
また、第２の回路では、第２のトランジスタＱ2 のコレクタＣ側に容量Ｃ6 を設けることで、第２のトランジスタＱ2 のコレクタＣとエミッタＥの間の容量が増加し、負荷容量を大きくできるため、第２の圧電発振回路で低い周波数での発振が可能となる。
【００４３】
従って、第２の回路では、第１の圧電振動子Ｘ1 を高い共振周波数に設定し、第２の圧電振動子Ｘ2 を低い共振周波数に設定することで、それぞれに適した発振回路とすることができる。
【００４４】
従来例では、近接した２つの発振周波数しか切り替えられなかったが、第２の回路では、乖離した２つの発振周波数であっても、位相雑音の低下を防止し、安定した出力信号を得る２波切替型発振器を実現できる。
また、比較的近い２つの発振周波数であっても、それぞれに応じた発振回路定数を設定し、位相雑音の劣化等を低減できる効果がある。
【産業上の利用可能性】
【００４５】
本発明は、二つの発振周波数が乖離している場合も、比較的近い場合でも、位相雑音の劣化を防止し、安定した出力信号を得ることができる２波切替型発振器に好適である。
【図面の簡単な説明】
【００４６】
【図１】本発明の実施の形態に係る第１の２波切替型発振器の回路図である。
【図２】（ａ）が第１のスイッチングダイオードがオンしている状態の等価回路図、（ｂ）が第２のスイッチングダイオードがオンしている状態の等価回路図である。
【図３】本発明の実施の形態に係る第２の２波切替型発振回路の回路図である。
【図４】従来例１の２波切替型発振器の回路図である。
【図５】従来例２の２波切替型発振器の回路図である。
【符号の説明】
【００４７】
Ｃ…容量、  Ｄ…ダイオード、  Ｑ…トランジスタ、  Ｒ…抵抗、  ＳＷ…スイッチ、  Ｘ…圧電発振器、  ＶCC…電源電圧、  ＯＵＴ…出力、  ＳＥＬ…切替制御信号、  ＧＮＤ…グランドレベル、
【図１】
2008060841.tif 000003
【図２】
2008060841.tif 000004
【図３】
2008060841.tif 000005
【図４】
2008060841.tif 000006
【図５】
2008060841.tif 000007